(57)【要約】      （修正有）【課題】血液接触領域にウェルドラインが形成されていない血液装置用キャップ及び血液装置を提供する。【解決手段】血液装置用キャップ１２Ａは、血液装置用の筒形状の本体の開口に取付可能であり、熱可塑性樹脂を射出成形して得られる血液装置用キャップであって、筒状の側部２１と、側部の軸線方向１０１の一方１０１Ａの開口を塞ぐ、軸線方向に沿った貫通孔２５を有する蓋部２２と、蓋部に設けられ、内部空間が蓋部の貫通孔と連通する筒状のノズル部２３とを備える。血液装置用キャップは、血液装置用キャップが本体の開口に取り付けられた取付状態において、蓋部の内面において本体内を流通する血液が接触可能な血液接触領域３１にウェルドラインが形成されていない。【選択図】図２
2019150588.tif 000002
【特許請求の範囲】
【請求項１】
血液装置用の筒形状の本体の開口に取付可能な血液装置用キャップの射出成形による製造方法であって、
上記血液装置用キャップは、
筒状の側部と、
上記側部の軸線方向の一方の開口を塞いでおり、当該軸線方向に沿った貫通孔を有する蓋部と、
上記蓋部に設けられており、内部空間が上記蓋部の貫通孔と連通する筒状のノズル部と、を備えており、
金型の内部空間において上記側部における上記軸線方向の他方の開口を区画する縁部に対応する周方向に等間隔な２箇所に設けられた各ゲートから、上記蓋部に対応する上記金型の内部空間に溶融した熱可塑性樹脂をそれぞれ流入して合流させ、
上記内部空間において合流した溶融した熱可塑性樹脂を、上記側部及び上記ノズル部に対応する上記内部空間に流して充填し、
上記内部空間に充填された溶融した熱可塑性樹脂を冷却して、上記金型から取り出す血液装置用キャップの射出成形による製造方法。
【請求項２】
上記血液装置用キャップが上記本体の開口に取り付けられた取付状態において、上記蓋部の内面において上記本体内を流通する血液が接触可能な血液接触領域に上記射出成形によるウェルドラインが形成されていない請求項１に記載の血液装置用キャップの射出成形による製造方法。
【請求項３】
上記金型の内部空間は、上記ゲートが形成された上記縁部に対応する箇所が、上記軸線方向に沿って凹んでいる請求項１又は２に記載の血液装置用キャップの射出成形による製造方法。
【請求項４】
上記側部にウェルドラインが形成されている請求項１から３のいずれかに記載の血液装置用キャップの射出成形による製造方法。
【発明の詳細な説明】
【技術分野】
【０００１】
本発明は、血液装置用キャップの射出成形による製造方法に関する。
【背景技術】
【０００２】
腎不全患者の腎臓は、血液中の不要な代謝物等を除去できない。腎不全患者の血液中から不要な代謝物等を除去するため、血液透析が行われている。血液透析を行う血液装置としては、ダイアライザ等が知られている。また、リウマチ患者等の血液中には活性化した白血球が含まれる。活性化した白血球は炎症などの症状を引き起こすため、白血球除去処置が行われている。また、血小板を輸血する際のウイルス感染を予防するため、血小板輸血患者に輸血する血液成分から白血球除去する処置を施す。白血球除去処置を行う血液装置としては、白血球除去フィルターが知られている。血液装置の本体やキャップは、熱可塑性樹脂を原料として射出成形により製造されることが一般的である。射出成形において、金型内の熱可塑性樹脂が合流する箇所に線状に延びる微少な溝ないし凹みが形成される。このような成形品に形成された微少な溝ないし凹みは、ウェルドラインと称される。
【０００３】
特許文献１には、体液処理用の筒状容器においてウェルドラインが生じた箇所に、気泡を排出するためのガス排出部が設けられた構成が開示されている。これにより、筒状容器の側面が叩かれた場合にクラック等の損傷を生じ難くなるとされている。
【０００４】
特許文献２には、キャップ部材の内側に凸部と凹部とを設けることにより血液の流れを制御するキャップ部材が開示されている。
【先行技術文献】
【特許文献】
【０００５】
【特許文献１】特開２００８／１６１２４７号公報
【特許文献２】特開２００６／５５２０５号公報
【発明の概要】
【発明が解決しようとする課題】
【０００６】
射出成形により製造された血液装置用キャップの内側にウェルドラインが形成されると、血液装置に流通された血液がウェルドラインにおいて滞留したり凝固したりする可能性が考えられる。例えば、血液装置用キャップのウェルドラインに血液が滞留していると、血液装置を使用した後、全ての血液が血液装置から流出されても、血液装置用キャップのウェルドラインに微量の血液が残留することがある。このような血液の残留は、外観上よくない。また、血液装置用キャップのウェルドラインに血液の凝固が生じても同様の問題が生じ得る。
【０００７】
本発明は、前述された事情に鑑みてなされたものであり、血液が接触する領域にウェルドラインが形成されていない血液装置用キャップ及び血液装置を提供することを目的とする。
【課題を解決するための手段】
【０００８】
（１）本発明に係る血液装置用キャップは、血液装置用の筒形状の本体の開口に取付可能であり、熱可塑性樹脂を射出成形して得られる。本発明に係る血液装置用キャップは、筒状の側部と、上記側部の軸線方向の一方の開口を塞いでおり、当該軸線方向に沿った貫通孔を有する蓋部と、上記蓋部に設けられており、内部空間が上記蓋部の貫通孔と連通する筒状のノズル部とを備える。当該血液装置用キャップが上記本体の開口に取り付けられた取付状態において、上記蓋部の内面において上記本体内を流通する血液が接触可能な血液接触領域にウェルドラインが形成されていない。
【０００９】
蓋部の内面における血液接触領域にウェルドラインが形成されていないので、ウェルドラインに血液が滞留したり凝固したりする可能性が低減される。
【００１０】
（２）好ましくは、上記血液接触領域は、上記取付状態において上記本体の内部空間を区画する面である。
【００１１】
（３）好ましくは、上記側部は、上記軸線方向の他方の開口を区画する縁部に２箇所以上のゲート痕を有する。
【００１２】
射出成形において、金型へ熱可塑性樹脂が流入される２箇所以上のゲートが、側部の他方の開口を区画する縁部に設けられているので、血液接触領域にウェルドラインが形成されない。また、２箇所以上のゲートから金型内へ熱可塑性樹脂が流入されるので、溶融された熱可塑性樹脂（以下、溶融樹脂とも言う。）の温度が金型において下がり難くなり、ウェルドラインが形成され難くなる。
【００１３】
（４）好ましくは、上記ゲート痕は、上記側部に周方向において等間隔に配置されている。
【００１４】
これにより、射出成形の際に、等間隔に配置されたゲートから溶融樹脂を射出することができる。それぞれのゲートから充填された溶融樹脂は、合流地点において同じような流動性を有する。このため、溶融樹脂は合流地点において均一に混ざり合い易い。よって、ウェルドラインの形成がさらに抑制される。
【００１５】
（５）好ましくは、上記側部にウェルドラインが形成されている。
【００１６】
（６）好ましくは、上記ゲート痕は、上記縁部が上記軸線方向に沿って凹んだ凹部である。
【００１７】
ゲート痕が凹部であるため、金型から血液装置用キャップが外し易い。また、ゲート痕が成形品の縁から突出していると、突出したゲート痕を取り除いて平面にするなどの成形品の形を整えるための処理が必要になることがあるが、ゲート痕が凹部であれば、このような処理を省くことができる。
【００１８】
（７）好ましくは、上記蓋部に設けられており、上記ノズル部の外側を囲む筒状の接合部をさらに備える。
【００１９】
仮に、血液装置用キャップにウェルドラインが形成されるとすれば、筒状の接合部に形成されることになり易い。接合部は、血液装置に流通される血液が直接に接触する箇所ではないので、ウェルドラインに血液の滞留等が生じない。
【００２０】
（８）好ましくは、上記接合部の内壁に雌ネジが形成されている。
【００２１】
（９）好ましくは、上記蓋部は、上記軸線方向の一方へテーパ形状に突出されている。
【００２２】
これにより、射出成形において蓋部からノズル部へ熱可塑性樹脂が流れやすくなるので、蓋部においてウェルドラインが一層形成され難くなる。
【００２３】
（１０）本発明に係る血液装置は、上記血液装置用キャップと、血液が流通される筒状の本体と、を備える。本発明に係る血液装置は、上記本体の開口に上記血液装置用キャップが取り付けられる。
【発明の効果】
【００２４】
本発明によれば、少なくとも血液装置用キャップの蓋部の内壁における血液接触領域にウェルドラインが形成されていないため、血液装置を流通される血液が蓋部の血液接触領域に滞留等することが抑制される。
【図面の簡単な説明】
【００２５】
【図１】図１は、血液装置１０を模式的に示す図である。
【図２】図２（Ａ）は、キャップ１２Ａを平面側（ノズル部２３の突出する側）から斜めに見た斜視図であり、図２（Ｂ）は、キャップ１２Ａを底面側から斜めに見た斜視図である。
【図３】図３は、キャップ１２Ａの正面図である。
【図４】図４は、キャップ１２Ａの平面図である。
【図５】図５は、キャップ１２Ａの底面図である。
【図６】図６は、図４に示される切断面ＶＩ−ＶＩで切断されたキャップ１２Ａの断面図である。
【図７】図７は、射出成形機４０を模式的に示す図である。
【図８】図８は、キャップ１２Ａを射出成形する際に使用される金型５０の断面図である。
【発明を実施するための形態】
【００２６】
以下、本発明の好ましい実施形態を説明する。なお、本実施形態は本発明の一実施態様にすぎず、本発明の要旨を変更しない範囲で実施態様を変更できることは言うまでもない。
【００２７】
［血液装置１０］
図１に示されるように、血液装置１０は、本体１１、キャップ１２Ａ、キャップ１２Ｂ、中空糸束１３、中空糸支持体１４を有する。本体１１は、概ね円筒形状である。本体１１の内部空間は、軸線方向１０１（図１における左右方向に沿った方向）の両側において開口している。本実施形態では、図１の左側の開口が血液入口用であり、右側の開口が血液出口用であるが、これらは相対的な関係である。本体１１の各開口には、キャップ１２Ａ及びキャップ１２Ｂがそれぞれネジ構造により嵌め込まれている。キャップ１２Ａ及びキャップ１２Ｂは、本体１１に嵌め込まれた状態で超音波融着により液密に封止される。なお、各キャップ１２Ａ及び１２Ｂと本体１１との間にパッキンを設けることにより液密に封止することも可能である。
【００２８】
本体１１の各開口付近には、一対の中空糸支持体１４が設けられている。なお、図１において左側に配置された中空糸支持体１４は、図１には現れていない。一対の中空糸支持体１４は、本体１１の内部空間において中空糸束１３の両端側を支持するとともに、本体１１の内部空間に液密に嵌め込まれている。
【００２９】
本体１１の内部空間において、一対の中空糸支持体１４に挟まれた空間は、中空糸支持体１４によって液密な空間に保持され、かつ本体１１に設けられた２つのポート１５，１６によって外部へ開放されている。ポート１５，１６を通じて、一対の中空糸支持体１４に挟まれた空間に透析液が流通される。
【００３０】
本体１１は、例えば熱可塑性樹脂を原料として射出成形により製造される。熱可塑性樹脂としては、ポリプロピレン樹脂、ポリエチレン樹脂、ポリカーボネート樹脂、ポリエチレンテレフタレート樹脂、ポリビニルアルコール樹脂、エチレンビニルアルコール共重合体、ポリ塩化ビニリデン樹脂、ナイロン樹脂等が好ましく、ポリプロピレン樹脂がより好ましい。ポリプロピレン樹脂は、耐熱性に優れると共に光透過性を有する。本体１１が、光透過性を有する熱可塑性樹脂から成型されることにより、本体１１の内部が外部から視認可能となる。これにより、本体１１の内部を流通する血液や透析液などが、外部から視認可能である。また、ポリプロピレン樹脂は、安価であり比較的入手しやすい。
【００３１】
中空糸束１３は、透析膜が管状に形成された中空糸の束である。中空糸はそれぞれの両端において開口している。中空糸の原料としてはトリアセテートやポリエーテルスルホン等が挙げられる。中空糸の太さや膜圧長さ種類等は、血液装置１０内を流通する血液の流量、粘性、患者の症状等の条件に応じて適宜設定される。本体１１の内部空間において、中空糸支持体１４より開口側には血液が流通する。本体１１の各開口側の空間は、中空糸束１３により連通されている。したがって、本体１１の一方の開口から流入した血液は、中空糸束１３を通って、他方の開口から流出可能である。
【００３２】
［キャップ１２Ａ］
キャップ１２Ａ及びキャップ１２Ｂは、熱可塑性樹脂を原料として射出成形により製造される。キャップ１２Ａ及びキャップ１２Ｂは、同一の形状であってもよく、異なっていてもよいが、本実施形態においては同一形状であるため、以下、キャップ１２Ａを例に構成が説明される。
【００３３】
キャップ１２Ａの材料は、本体１１と同様に、ポリプロピレン樹脂、ポリエチレン樹脂、ポリカーボネート樹脂、ポリエチレンテレフタレート樹脂、ポリビニルアルコール樹脂、エチレンビニルアルコール共重合体、ポリ塩化ビニリデン樹脂、ナイロン樹脂等が好ましく、ポリプロピレン樹脂がより好ましい。ポリプロピレン樹脂は、耐熱性に優れると共に光透過性を有する。キャップ１２Ａが光透過性を有する熱可塑性樹脂から成型されることにより、キャップ１２Ａを通じて、本体１１の内部が外部から視認可能となる。
【００３４】
図２から図６に示されるように、キャップ１２Ａは、筒状の側部２１と、蓋部２２と、ノズル部２３及び接合部２６とを有する。
【００３５】
側部２１は、概ね円筒形状である。側部２１の内径は、本体１１の外構周縁の外径に対応している。各図には詳細に示されていないが、側部２１の内面には雌ネジが形成されており、本体１１の開口周縁の外面に形成された雄ネジと螺合可能である。側部２１の径方向に沿った厚み（図６に示される厚みＡ）は、側部２１の周方向１０２に渡って一定である。
【００３６】
側部２１の軸線方向１０１の一方側の向き１０１Ａを向いた開口は、蓋部２２によって閉塞されている。側部２１の軸線方向１０１の他方側の向き１０１Ｂを向いた開口は閉塞されておらず、当該開口を通じて、本体１１の端部とキャップ１２Ａとが嵌まり合う。側部２１の向き１０１Ｂの開口を区画する縁部２７には、２箇所のゲート痕２８がある。ゲート痕２８は、側部２１の周方向１０２において等間隔に、本実施形態では１８０度毎に配置されている。ゲート痕２８は、キャップ１２Ａが射出成形されるときに金型５０（図８参照）へ溶融された熱可塑性樹脂を流入するためのゲート５２（図８参照）によって、側部２１の縁部２７の平面に形成された凹形状である。ゲート痕２８の形状は、ゲート５２の形状と逆の形状である。
【００３７】
ゲート痕２８は、側部２１が縁部２７である平面において向き１０１Ａへ凹んだ凹部である。ゲート痕２８は、底面２８Ａと、底面２８Ａ及び縁部２７を繋ぐ２つの側面２８Ｂとで構成されている。側面２８Ｂは、底面２８と鈍角に交差している。ゲート痕２８において２つの側面２８Ｂ間の距離は、縁部２７から底面２８に向かって徐々に狭まっている。ゲート痕２８の大きさや形状は、キャップ１２Ａの大きさや厚み、熱可塑性樹脂の粘性などに応じて適宜設定される。
【００３８】
図２から図４及び図６に示されるように、蓋部２２は、軸線方向１０１に貫通する貫通孔２５を有する。貫通孔２５は、円盤形状の蓋部２２の中心に位置する。蓋部２２は、貫通孔２５の周囲に、テーパー部２２Ａと、平面部２２Ｂとを有する。
【００３９】
図６に示されるように、テーパー部２２Ａは、蓋部２２のうち貫通孔２５周りの中央部分を構成する部分である。テーパー部２２Ａは、キャップ１２Ａの中心軸１０３を中心とする半径Ｓ１の範囲において、貫通孔２５の周囲から平面部２２Ｂに渡って外方（図６における上方）へ突出するテーパ形状である。
【００４０】
平面部２２Ｂは、テーパー部２２Ａの外周側においてテーパー部２２Ａと連続している。平面部２２Ｂの内面及び外面は、キャップ１２Ａの中心軸１０３とほぼ直交している。
【００４１】
図１に示されるように、キャップ１２Ａは、本体１１が内側に嵌め込まれている。本体１１の開口を区画する先端面は、キャップ１２Ａにおける平面部２２Ｂの内側に当接した状態で融着されている。融着により本体１１とキャップ１２Ａとの間が液密に封止されているため、蓋部２２の内側を流通する血液は、本体１１とキャップ１２Ａとの間から外部へ流出されない。キャップ１２Ａが本体１１の開口に取り付けられた状態を取付状態とする。取付状態において、血液接触領域３１は、蓋部２２の内面において本体１１内を流通する血液が接触可能な領域である。すなわち、血液は、キャップ１２Ａのノズル部２３から血液装置１０内へ流入する。血液は、はじめに血液装置１０の外部からノズル部２３へ流入する。ノズル部２３から流入した血液は、本体１１とキャップ１２Ａとにより形成された空間へ流れ込む。本体１１とキャップ１２Ａとにより形成された空間において、血液は、キャップ１２Ａの蓋部２２の内面に接触する。キャップ１２Ａの蓋部２２の内面において、血液が接触する領域が血液接触領域３１である。また本体１１内を通過した血液は、本体１１とキャップ１２Ｂとにより形成された空間へ本体１１から流れ込む。本体１１とキャップ１２Ｂとにより形成された空間において、血液は、キャップ１２Ｂの蓋部２２の内面に接触する。キャップ１２Ｂの蓋部２２の内面において、血液が接触する領域が血液接触領域３１である。本体１１とキャップ１２Ｂとにより形成された空間からキャップ１２Ｂのノズル部２３を介して、血液は血液装置１０外へ流出する。
【００４２】
本体１１は筒形状である。本体１１の軸方向における本体１１の両端は、外側と内側の縁によって区画される環状の端面である。本体１１の端面は、本体１１の軸方向に対して垂直に交わる面である。キャップ１２Ａ及びキャップ１２Ｂにおける平面部２２Ｂの内面は、キャップ１２Ａ及びキャップ１２Ｂ本体１１の軸方向に対して垂直に交わる面である。上述の取付状態において、本体１１の両端の端面と、キャップ１２Ａ及びキャップ１２Ｂにおけるそれぞれの平面部２２Ｂの内面とが当接した状態で融着される。このため、血液接触領域３１は、キャップ１２Ａ及びキャップ１２Ｂの蓋部２２の内面における、本体１１の端面の内側の縁で囲まれた領域である。なお、キャップ１２Ａ及び１２Ｂと本体１１との間にパッキンが設けることにより液密に封止されている場合、血液接触領域３１は、キャップ１２Ａ及びキャップ１２Ｂの蓋部２２の内面において、パッキンで囲まれた内側の領域である。
【００４３】
また、本体１１は、両端が開口する筒形状である。取付状態において、本体１１の開口は、キャップ１２Ａ及びキャップ１２Ｂにより液密に封止される。本体１１の内部空間は、本体１１並びに本体１１に取り付けられたキャップ１２Ａ及びキャップ１２Ｂにより形成された空間である。本体１１の内部空間において血液が接触する領域は、本体１１の内面並びに、キャップ１２Ａ及びキャップ１２Ｂの内面である。すなわち、本体１１の内部空間は、本体１１の内面並びにキャップ１２Ａ及びキャップ１２Ｂの内面の血液が接触する面により囲まれる空間である。上述のように、キャップ１２Ａ及びキャップ１２Ｂの内面の血液が接触する面は血液接触領域３１である。このため、血液接触領域３１は、本体１１の内部空間を区画する面である。
【００４４】
図２、図３及び図６に示されるように、蓋部２２の外面において、接合部２６の周囲に複数のリブ２９が形成されている。リブ２９は、接合部２６を中心として放射状に等間隔に８個が配置されている。なお、リブ２９の個数、大きさ及び形状は、これに限定されず、血液装置１０や接合部２６の大きさに応じて適宜設定される。
【００４５】
図２、図３及び図６に示されるように、蓋部２２の貫通孔２５の周囲にはノズル部２３が設けられている。ノズル部２３は、両端が開口した円筒形状であり、その一端において貫通孔２５を区画しており、他端側が蓋部２２の外面から向き１０１Ａへ突出している。ノズル部２３の径方向に沿った厚みＢは、周方向１０２に渡って一定である。ノズル部２３の内部空間によって、キャップ１２Ａの内外が連通されている。
【００４６】
図２から図６に示されるように、蓋部２２のノズル部２３の周囲には、接合部２６が、設けられている。接合部２６は、ノズル部２３を内包する円筒形状であり、蓋部２２から向き１０１Ａへ突出している。接合部２６とノズル部２３との間には、ノズル部２３に接続されるコネクタ等が挿入されるための空間が形成されている。図６に示されるように、接合部２６の内壁には、雌ネジが形成されている。この雌ネジによって、接合部２６は、ノズル部２３に接続されるコネクタ等と螺合される。
【００４７】
［キャップ１２Ａの製造方法］
以下に、キャップ１２Ａの製造方法が、図７及び８を参照しながら説明される。
【００４８】
図７は、射出成形機４０の概略図である。射出成形機４０の構成は公知であるので、ここでは詳細な説明が省略される。原料である熱可塑性樹脂のペレットが、ホッパー４１に投入される。ペレットは、ホッパー４１を通ってシリンダー４２内へ移動する。シリンダー４２内でペレットが所定の温度に加熱される。加熱されたペレットは溶融する。
【００４９】
図８は、キャップ１２Ａの射出成形に使用される金型５０の断面図である。金型５０は、可動側金型４４及び固定側金型４５により構成される。固定側金型４５は、内部に２つのランナー５１を有する。ランナー５１の先端は、ゲート５２である。ランナー５１の内部空間は、ゲート５２においてそれぞれ開口する。ゲート５２は、側部２１における縁部２７に位置する。ゲート５２は、２箇所に形成されている。ゲート５２は、縁部２７に周方向において等間隔に配置されている。ゲート５２の先端部分は、固定側金型４５から金型５０の内部空間５６へ深さＤだけ入り込んだ位置にある。
【００５０】
型締め装置４６により、可動側金型４４は可動され、固定側金型４５と圧接される。型締め装置４６は、可動側金型４４及び固定側金型４５を圧接した状態で固定する。溶融樹脂は、シリンダー４２から押し出され、ランナー５１の内部空間５３へ流入する。溶融樹脂は、ランナー５１の内部空間５３及びゲート５２を介して内部空間５６へ流入する。
【００５１】
本実施形態では、金型５０の内部空間５６において側部２１の縁部２７に対応する２箇所にゲート５２が設けられている。溶融樹脂は、２箇所のゲート５２から側部２１に対応する金型５０の内部空間５６へ流入する。続いて、溶融樹脂は、側部２１に対応する金型５０の内部空間５６から蓋部２２に対応する金型５０の内部空間５６へ流入する。蓋部２２に対応する内部空間５６おいて、それぞれのゲート５２から流出された溶融樹脂が合流する。
【００５２】
射出成形において、ゲート５２から注入されて金型５０の内部空間５６を流動する溶融樹脂が合流するまでにかかる時間が長いと、合流地点での溶融樹脂の温度が下がり、ウェルドラインが形成されやすい。本実施形態では、それぞれのゲート５２から流出された溶融樹脂が合流するまでにかかる時間が比較的短いので、少なくとも蓋部２２の内面における血液接触領域３１にウェルドラインが形成されない。
【００５３】
続いて、金型５０の内部空間５６における蓋部２２に対応する位置において合流した溶融樹脂は、蓋部２２に対応する内部空間５６を介してノズル部２３、接合部２６及び側部２１に対応する内部空間５６へ流入する。溶融樹脂が金型５０の内部空間５６へ充填された後、可動側金型４４及び固定側金型４５が固定された状態で、金型５０ごと充填された溶融樹脂が冷却される。冷却により、溶融樹脂が固化する。冷却後、可動側金型４４及び固定側金型４５が引き離される。固化した溶融樹脂が金型５０から取り出されることにより、キャップ１２Ａが得られる。
【００５４】
［実施形態の作用効果］
本実施形態においては、血液接触領域３１にウェルドラインが形成されていないキャップ１２Ａ及びキャップ１２Ｂが得られる。血液装置１０が用いられるときに、血液装置１０に流通された血液が蓋部２２の血液接触領域３１において滞留したり凝固したりする可能性が低減される。これにより、使用後の血液装置１０の外観上の見栄えが悪くなることが防止される。
【００５５】
また、ゲート痕２８が側部２１の他方の開口を区画する縁部２７に設けられているので、血液接触領域３１におけるウェルドラインの形成が抑制される。
【００５６】
また、キャップ１２Ａ，１２Ｂの側部２１の縁部２７において、ゲート痕２８が、周方向１０２に等間隔に配置されているため、金型内においてゲート５２から溶融樹脂が合流する地点までの距離及びかかる時間はほぼ同じである。このため、合流地点において溶融樹脂は、均一に混ざり合い易く、血液接触領域３１におけるウェルドラインの形成がさらに抑制される。
【００５７】
また、ゲート痕２８が凹部であるため、キャップ１２Ａを射出成形の金型５０から外し易い。また、ゲート痕２８が突出している場合に比べて、形を整えるための処理を省くことができる。
【００５８】
また、キャップ１２Ａにウェルドラインが形成される場合、接合部２６に形成されることになり易い。接合部２６は、血液装置１０に流通される血液が直接に接触する箇所ではないので、ウェルドラインに血液の滞留等が生じない。
【００５９】
また、蓋部２２は、ノズル部２３が設けられている側へテーパ形状に突出されている。このため、射出成形において蓋部２２からノズル部２３へ溶融樹脂が流れやすくなるので、蓋部２２においてウェルドラインが一層形成され難くなる。
【００６０】
［変形例］
【００６１】
なお、前述された実施形態においては、側部２１の縁部２７である平面にゲート５２が配置されているが、ゲート５２は、側部２１の外周面に配置されてもよい。また、ゲート痕２８は、凹部ではなく凸部などの形状であってもよい。
【００６２】
また、前述された実施形態においては、テーパー部２２Ａが側部２１側から方向１０１Ａに向かって突出しているテーパ形状であるが、蓋部２２にテーパー形状は必ずしも設けられなくてもよい。
【００６３】
また、前述された実施形態においては、ノズル部２３の周りに接合部２６が設けられているが、接合部２６は必ずしも設けられなくてもよい。
【００６４】
また、前述された実施形態は、血液透析用のダイアライザを例として説明がされているが、血液装置１０は、血液が流通される他の装置、例えば白血球除去フィルターであってもよい。
【符号の説明】
【００６５】
１０      血液装置
１１      本体
１２Ａ    キャップ
１２Ｂ    キャップ
２２      蓋部
２３      ノズル部
２５      貫通孔
２６      接合部
２７      縁部
２８      ゲート痕
３１      血液接触領域
【図１】
2019150588.tif 000003
【図２】
2019150588.tif 000004
【図３】
2019150588.tif 000005
【図４】
2019150588.tif 000006
【図５】
2019150588.tif 000007
【図６】
2019150588.tif 000008
【図７】
2019150588.tif 000009
【図８】
2019150588.tif 000010